(57)【特許請求の範囲】
【請求項１】
外部から導入される多数本の光ケーブルを筐体内に配設されるコネクタ類に接続して配線を行う配線盤において、柱状をなし前記筐体内で筐体の下方から垂直方向に導入された前記光ケーブルが水平方向に屈曲される部位に垂直方向に立設される集束具本体を備え、この集束具本体はその一側に一定の間隔をおいて櫛歯状に突設された多数の突片と、これら突片列の一側の複数箇所に突設された所要のアールをもって垂直方向から水平方向に湾曲して光ケーブルを前記突片間に導くために光ケーブルを曲げる際に許容されるアールをもって凸湾曲状に形成されたガイド片とを有し、前記突片の一面側には該突片間にケーブルを水平方向に抱持しコネクタ類に導き得る凹部を有しており、
さらに、上下枠部の対向面に複数の前記集束具本体の上下両端がスライド可能に嵌合し得る嵌合部を有し一端が開放されたコ字状の保持枠本体と、この保持枠本体の開放端を閉止する止枠とからなる保持枠を備え、前記突片間にケーブルを挿通支持した前記集束具本体の上下両端を前記保持枠本体の嵌合部に順次嵌合して前記止枠により閉止し、この保持枠をケーブルの屈曲部位の筐体内に固定するようにしたことを特徴とする配線盤におけるケーブル集束装置。
【発明の詳細な説明】
【０００１】
【発明の属する技術分野】
本発明は光ケーブルを使用する配線盤に適用して好適であり、特に光ケーブルに悪影響を与えることなく光ケーブルを集束処理するに最適なケーブル集束装置に関する。
【０００２】
【従来の技術】
光ケーブル用配線盤は、本発明の適用図である図１５に示されるように、筐体１（キャビネット）内に架設される複数段の棚２，２…にコネクタ３が多数配設され、該筐体１に導入される多数本の光ケーブルを途中にたるみをもたせてコネクタ３に導き、各光ケーブル端を対応するコネクタ３に接続して他部への伝送を可能とする配線盤が一般に使用されるようになっている。
【０００３】
この種の配線盤においては、光ケーブルが数百本〜千本以上の単位で筐体内に導入される関係上、光ケーブルが光伝送の特性を阻害することがないよう筐体１内において十分なたるみを与えて集束し、各コネクタ３へ導くようになされている。
【０００４】
またコネクタ３へ至るまでの途中部での集束については、多数本の光ケーブルが極力ばらけないよう要所でたばねておく必要があり、これについては紐等で結束する不便さを解消するため従来から図１８に示すような集束具４が用いられている。
【０００５】
この集束具４は、角形リング状をなす枠体４ａの一側面に光ケーブル１本が通過し得る間隙（３〜５ｍｍ）を有するスリット５が斜めに形成され、このスリット５に光ケーブル６を通したのち直状に戻すことにより再び抜け出ることがないようになされたものである。
【０００６】
【発明が解決しようとする課題】
しかるに従来では、筐体１１内へ導入された光ケーブル群は筐体１内の支柱７にそわせて立ち上げ、各棚２，２…のコネクタ３へ分配して接続されるが、その際に光ケーブルを垂直方向から水平方向に方向変換させるため光ケーブルが棚２，２…の角に当たって急激に曲げられ、光伝送の許容範囲を超えた曲がりとなって伝送に支障をきたすという問題があった。
【０００７】
また図１８の集束具４では、その内部に光ケーブル６を通すために傾斜したスリット５にそうように光ケーブル６を曲げながら１本ずつ通すことが必要であるこから、多数本（７００〜１４００本）もの光ケーブルを上記のようにしてすべてを通すことは容易でなく、しかもこの集束具４が多段に設けられる場合、各集束具４に光ケーブルを通す作業にはきわめて手数が掛るばかりでなく、各集束具４のスリット５に通す際に光ケーブルがジグザグ状に曲げられるため光ケーブルを損傷させやすいという問題点があった。
【０００８】
【課題を解決するための手段】
本発明は、ケーブルに過渡な曲がりを生じさせることのない集束装置を提供すること、およびケーブルの集束を容易迅速にかつケーブルを損傷させることなく集束することができるケーブル集束装置を提供することを課題としてなされたものである。
【０００９】
上記課題を解決する手段として第１の発明では、外部から導入されるケーブルを筐体内に配設されるコネクタ類に接続して配線を行う配線盤において、柱状をなし前記筐体内でケーブルが屈曲される部位に固定される集束具本体を備え、この集束具本体はその一側に一定の間隔をおいて櫛歯状に突設された多数の突片と、これら突片列の一側の複数箇所に突設された所要のアールをもって湾曲してケーブルを前記突片間に導くためのガイド片とを有し、前記突片の一面側には該突片間にケーブルを抱持し得る凹部を設けたことにある。
【００１０】
したがって、ケーブルは上記ガイド片にそってゆるやかに曲げられて突片間に保持され、コネクタへ導かれるので、ケーブルに無理な曲げを生じることがなく、安定的に配線することが可能となる。
【００１１】
さらに本発明は、上記集束具本体を複数本カセット状に集約して筐体内に取り付けることができるようにしたもので、上下枠部の対向面に複数の前記集束具本体の上下端がスライド可能に嵌合し得る嵌合部を有し一端が開放されたコ字状の保持枠本体と、この保持枠本体の開放端を閉止する止枠とからなる保持枠を備え、前記突片間にケーブルを挿通支持した前記集束具本体の両端を前記保持枠本体の嵌合部に順次嵌合して前記止枠により閉止し、この保持枠をケーブルの屈曲部位の筐体内に固定するようにしたことにある。
【００１２】
第２の発明は、筐体内において多数本のケーブルを集束するための集束装置であり、外部から導入されるケーブルを筐体内に配設されるコネクタ類に接続して配線を行う配線盤において、一側が軸方向のスリットにより分離された略円筒状をなしケーブルの外周に嵌合し得る内径を有する集束具本体と、この集束具本体を支持するため前記筐体に固定される保持枠とを備え、前記集束具本体はそのスリット部分に互に反対方向に突出する左右一対の突片を有し、前記保持枠は前記集束具本体の突片の基部の縊れ部分を落とし込みにより嵌合し得る多数の保持溝を有してなり、前記集束具本体をケーブルに嵌合してその突片基部を保持枠の保持溝に嵌入させることにより該基部が挟搾されてケーブルの外周に密着するとともに集束具本体の拡開習性により保持溝に固定されるようにしたことにある。
【００１３】
そして第３の発明は、上記保持枠を多数集約して筐体内に取付けることができるようにするもので、前記筐体に固定され前記保持枠の各端部をスライド自在として、多数の保持枠を順次積層状に支持するためのガイドレールを備え、このガイドレールは側面がスリット状に開口された断面略Ｃ形状を有し、前記保持枠の端部に直角に連設された支持片に挿通するボルトに螺合されたナット部材を前記ガイドレールに嵌合して所定位置にスライドさせ、ボルトを締着することによりその位置で保持枠が固定されるようにしたことにある。
【００１４】
さらに第４の発明は、前記筐体に固定され上下が開放された枠状の集束具本体を備え、この集束具本体はその一側面に複数本のケーブルを同時に通し得る間隔をもって切離されたケーブル挿通用開口部を有し、上記一側面の内面に前記開口部を弾性的に閉鎖するゴム板、プラスチック板等の弾性片を設けたことにある。
【００１５】
【発明の実施の形態】
以下、本発明を図面に示す実施の形態を参照し、図１５に関してはその符号を用いて説明する。
【００１６】
図１〜図６は、第１の発明の一実施形態を示すもので、この集束装置は、角柱状を有する集束具本体１０の一側面に櫛歯状の突片１１，１１…が一定の間隔をおいて多数列設され、これら突片１１，１１…の各下面には図２、図３にみられるように奥側になるにつれて厚みを増すよう傾斜した隆起部１２が形成されており、その隆起部１２の奥端に光ケーブル６が丁度納まる凹部１３が形成されている。
したがって突片１１，１１間に光ケーブル６を摺動させれば隆起部１２を押しのけるように突片１１，１１をたわませて進入し、凹部１３の位置に至ったとき上下の突片１１，１１間に挟まれて抱持されるようになる。
【００１７】
上記集束具本体１０の突片１１，１１…列の一側には複数のガイド片１４，１４…が一体に設けられている。このガイド片１４，１４…は、最下段の突片１１に対向する位置から突片１１，１１…の複数個おき（図では３個おき）に設けられ、光ケーブルを曲げる際に許容されるアールをもって凸湾曲状に形成されており、これらガイド片１４，１４…の側部には集束具本体１０と一体な壁板１５により該本体１０と一体化されている。
【００１８】
図４は上記集束具本体１０の各突片１１，１１…間に光ケーブル６を通して集束した状態を示しており、この集束具本体１０を図１５に位置を示すように筐体１内のコネクタ３の棚２，２…の入口部に固定することにより筐体１の下方から導入された光ケーブル６群を各棚２，２…のコネクタ３へ無理なく湾曲させて導くことができる。
【００１９】
図５、図６は、上記集束具本体１０を保持枠１６に多数集約してカセット状とし、この保持枠１６を筐体１内に取付けることで一層多数本の光ケーブル６を整然とコネクタ３側へ導けるようになされたものである。
【００２０】
上記保持枠１６は、コ字状の保持枠本体１７と、この保持枠本体１７の開放端を閉止する止枠１８とで構成され、上記保持枠本体１７の上下の枠部１７ａ，１７ｂの対向面には前記集束具本体１０の上下端が可及的密にスライド可能に嵌合し得る溝状の嵌合部１９，１９が形成されている。
【００２１】
上記止枠１８は前記保持枠１７の開放端を閉鎖し得る断面Ｌ形の部片からなり、その下端には保持枠本体１７の下側の枠部１７ｂの端部に穿設された切孔状の係止穴２０に挿入する突起２１が設けられ、上端には保持枠本体１７の上側の枠部１７ａの端部に形成された取付穴２２に対応する取付穴２３が設けられている。
【００２２】
したがって上記保持枠本体１７の上下の枠部１７ａ，１７ｂの嵌合部１９，１９に前記図４のように光ケーブル６をセットした集束具本体１０，１０…を順次嵌合させ（図６参照）、最後に止枠１８を取付けることにより多数の集束具本体１０，１０…がカセット状に集約された集束装置となり、これを筐体１内の所定の箇所に取り付ければ多数本の光ケーブルを一括して配線処理することができる。
【００２３】
図７〜図１１は、第２の発明の一実施形態を示すもので、この集束装置は、集束具本体３０と、この集束具本体３０を支持する保持枠３１とからなっている。
【００２４】
上記集束具本体３０は、一側が軸方向のスリット３２により分離された略円筒状をなす保持筒部３３と、前記スリット３２部分の両側に互に反対方向に突出する左右一対の突片３４，３４とで構成されている。
【００２５】
上記保持枠３１は、横長矩形状の板材の上縁から所要深さにわたり前記集束具本体３０の突片３４，３４の基部の縊れ部分を落とし込みにより嵌合する保持溝３５，３５…が所定の間隔をおいて列設されたものである。
【００２６】
上記保持溝３５は、好ましくは図８（Ａ）にみられるように上端開口部の内側面に小突起３６，３６を設けておき、前記集束具本体３０の突片３４，３４の基部縊れ部分を図９のように嵌合して取り付けたのちみだりに抜け出ないようにしておくのがよい。なおこの保持溝３５自体も、開口部から下方になるにつれて若干幅狭になるようテーパーを付しておくことにより、集束具本体３０を嵌め付けたときそのスリット３２部分がテーパーによって挟搾され、保持筒部３３による光ケーブル６の保持を確実にするうえで好ましい。
【００２７】
上記保持枠３１は、単一で筐体１内に取付けるようにしてもよいが、前記図６に示した実施形態のように多数の保持枠３１を集約してカセット状とするには図９に符号３８で示すガイドレールを用いることができる。
【００２８】
図９に示すガイドレール３８は、保持枠３１のぐらつきを防ぐ意味で上下に２条設けた場合を示しており、これらガイドレール３８は側面がスリット状に開口されたＣチャンネル状断面を有している。
【００２９】
一方、保持枠３１の端部には直角に折曲された支持片３９にボルト４０（図１１示）が挿通され、このボルト４０に螺合されたナット部材４１が前記ガイドレール３７にその端部から嵌合され、このナット部材４１はガイドレール３７内で不回転かつ摺動可能となってその開口縁３７ａ，３７ａにより抜け止めされる。
【００３０】
したがって光ケーブル６を挿通した集束具本体３０を保持片３１の各保持溝３５，３５…に取付けたのちその端部のナット部材４１をガイドレール３７の端部から嵌込むようにして順次スライドさせ、所定の位置でボルト４０を締込むことによりナット部材４１を呼び込んで図１１に示すように固定することができる。これにより多数の保持片３１を集約してカセット状とし、多数本の光ケーブル６を一括して集束処理することができる。
【００３１】
図１２〜図１４は、第４の発明の実施形態を示すもので、この集束位置は筐体１内で多数本の光ケーブルをまとめるためのものであり、筐体１の適所に固定される枠状の集束具本体５０と、光ケーブル挿入用開口部分を開閉する弾性片５１とからなっている。
【００３２】
上記集束具本体５０は、従来品と同様に平面視横長矩形状を有し上下が開放された枠状のもので、その長辺側の一側面５０ａに複数本の光ケーブル６を同時に挿通させるに十分な開口幅を有する開口部５２が集束具本体５０の上下面に対し垂直方向に形成されている。
【００３３】
上記一側面５０ａの内面に前記開口部５２を弾性的に閉鎖する弾性片５１の一端がかしめあるいは接着等により固着され、その自由端５１ａ側は前記開口部５２を越えて反対側に延び、十分な重なりをもっておかれるようになっている。なおこの弾性片５１の材料としては、ゴム板、軟質プラスチック板、金属板等であってよい。
【００３４】
図１４は上記実施形態の変形例を示すもので、集束具本体５０の開口部５２の内面両側にそれぞれ開口部５２の途中まで延びる弾性片５３，５４を固着してこれら弾性片５３，５４の自由端５３ａ，５４ａが互に一部重なり合うようにし、内外いずれの側からも光ケーブルを通過させることができるようにしたものである。
【００３５】
したがって上記いずれの実施形態においても、複数本の光ケーブル６をまとめて開口部５２から集束具本体５０内に押し込めば、光ケーブルが弾性片５１（または５３，５４）を撓ませて進入し、進入し終わったのち弾性片５１（または５３，５４）が復元して開口部５２が閉じられる。図１２、図１３の場合は一旦挿入した光ケーブル６は再び開口部５２から抜け出ることはなく、また図１４によってもみだりに抜け出ることはなく、逆に必要により抜き出すことができる。
【００３６】
図１６、図１７は、筐体１内の各棚２，２…上に配設されているコネクタ３，３…に光ケーブルを溶着して接続するためのウェルダ載置棚５５を示すもので、この載置棚５５は、棚板５６の両側部に側板５７，５７が下方に向け直角に連設され、この側板５７，５７の後端上方位置に下向きのフック５８，５８が設けられている。
【００３７】
前記筐体１の両側枠１ａ，１ａの前記棚２，２…と対応する位置には上下方向に長いスリット状の係止穴５９，５９…が形成されており、この係止孔５９，５９に前記フック５８，５８を挿入して係合することにより棚板５６が図１７のように水平に取付けられるようになっている。
【００３８】
したがって上記載置棚５５上にウエルダを載置して光ケーブルとコネクタ３との接続を安定的に行うことができる。
【００３９】
【発明の効果】
以上説明したように第１の発明によれば、使用対象が光ケーブルの場合、光ケーブルに悪影響を与えることのないアールをもって曲がり、かつ整然と配線することができ、しかもスペースを大きく必要とせず、筐体内への組み込みも容易であるなどの効果がある。
【００４０】
また第２または第３の発明によれば、配線途中でのケーブルを整然と集束することができ、さらに第４の発明によれば集束具本体へのケーブルの嵌込みがワンタッチででき、従来のようにケーブルを曲げるような負担をかけることがなく、迅速にしかもケーブルを傷めずに集束することができる。
【図面の簡単な説明】
【図１】本発明の一実施形態の斜視図。
【図２】（Ａ），（Ｂ）は図１の正面図および側面図。
【図３】図２（Ｂ）の一部の拡大図。
【図４】図１の集束装置にケーブルを通した状態を示す斜視図。
【図５】図４の集束装置をカセット状とするための保持枠を示す分解斜視図。
【図６】同、組込み過程を示す斜視図。
【図７】   第２の発明における集束具本体の斜視図。
【図８】（Ａ），（Ｂ）は同保持枠の正面図および側面図。
【図９】同、組込み過程を示す斜視図。
【図１０】図９における一つの集束具本体の取付状態を示す平面図。
【図１１】同、保持枠をガイドレールに嵌合固定する場合の固定手段を示す断面図。
【図１２】  第４の発明における集束装置の斜視図。
【図１３】同、筐体への取付状態を示す平面図。
【図１４】同、変形例を示す平面図。
【図１５】配線盤の一例の内部を示す正面図。
【図１６】コネクタ接続用ウエルダ載置棚と筐体との関係を示す分解斜視図。
【図１７】同、載置棚を取付けた状態を示す斜視図。
【図１８】図１２の従来の構造を示す斜視図。
【符号の説明】
１  筐体
２  棚
３  コネクタ
６  光ケーブル
１０  集束具本体
１１  突片
１２  隆起部
１３  凹部
１４  ガイド片
１５  壁板
１６  保持枠
１７  保持枠本体
１８  止枠
１９  嵌合部
３０  集束具本体
３１  保持枠
３２  スリット
３３  保持筒部
３４  突片
３５  保持溝
３６  小突起
３８  ガイドレール
３９  支持片
４０  ボルト
４１  ナット部材
５０  集束具本体
５１，５３，５４  弾性片
５２  開口部
５５  ウエルダ載置棚
５８  フック
５９  係止穴
【図１】
0003969778.tif 000002
【図２】
0003969778.tif 000003
【図３】
0003969778.tif 000004
【図４】
0003969778.tif 000005
【図５】
0003969778.tif 000006
【図６】
0003969778.tif 000007
【図７】
0003969778.tif 000008
【図８】
0003969778.tif 000009
【図９】
0003969778.tif 000010
【図１０】
0003969778.tif 000011
【図１１】
0003969778.tif 000012
【図１２】
0003969778.tif 000013
【図１３】
0003969778.tif 000014
【図１４】
0003969778.tif 000015
【図１５】
0003969778.tif 000016
【図１６】
0003969778.tif 000017
【図１７】
0003969778.tif 000018
【図１８】
0003969778.tif 000019